(57)【要約】【課題】本発明は、画像表示装置の受信性能の検査を省人化するとともに検査コストを下げることを目的とする。【解決手段】本発明の検査装置は、放送信号を受信して放送番組を表示する画像表示装置の放送信号の受信性能検査を行う検査装置であって、画像表示装置は、チューナ部１１と、復調部１２と、エラー情報取得送信部１３と、を備え、検査装置は、テスト放送信号源２と、エラー情報を受信し、エラー情報が予め定められた基準を満たすかどうかに基づいてテスト放送信号の受信性能に対して良否判定を行うエラー判定部３１と、画像表示装置を制御して画像表示装置のテスト放送信号の受信に関する設定を変更させる受信設定制御部３２と、良否判定の結果に基づいて、テスト放送信号源２を制御してテスト放送信号の特性を変化させる信号源制御部３３と、を備える。【選択図】図１
2016163241.tif 000002
【特許請求の範囲】
【請求項１】
放送信号を受信して放送番組を表示する画像表示装置の受信性能検査を行う検査装置であって、
前記画像表示装置は、
テスト放送信号を受信するチューナ部と、
前記テスト放送信号を、画像表示部と音声出力部のそれぞれに出力可能なテスト映像データとテスト音声データに復号する復調部と、
前記テスト映像データおよび前記テスト音声データからエラーに関するエラー情報を取得し、当該エラー情報を送信するエラー情報取得送信部と、
を備え、
前記検査装置は、
前記テスト放送信号を出力するテスト放送信号源と、
前記エラー情報取得送信部から送信された前記エラー情報を受信し、当該エラー情報が予め定められた基準を満たすかどうかに基づいて、前記画像表示装置の前記テスト放送信号に対する受信性能の良否判定を行うエラー判定部と、
前記画像表示装置を制御して当該画像表示装置の前記テスト放送信号の受信に関する設定を変更させる受信設定制御部と、
前記良否判定の結果に基づいて、前記テスト放送信号源を制御して前記テスト放送信号の特性を変化させる信号源制御部と、
を備える、
検査装置。
【請求項２】
前記エラー情報は、前記テスト映像データおよび前記テスト音声データにおいて観測されたエラーの個数の情報を含む、
請求項１に記載の検査装置。
【請求項３】
前記信号源制御部は、前記良否判定の結果が良の場合、当該良否判定に対応する前記テスト放送信号の特性をテストが厳しくなる方向に１段階変化させ、
前記信号源制御部は、前記良否判定の結果が否の場合、当該良否判定に対応する前記テスト放送信号の特性をテストが緩くなる方向に１段階変化させる、
請求項１または請求項２に記載の検査装置。
【請求項４】
検査結果記録部をさらに備え、
前記検査結果記録部は、前記テスト放送信号の特性の段階的な変化に伴って、前記良否判定の結果が良から否、もしくは否から良に変化した場合、当該良否判定の結果が変化する境界において良と判定された前記テスト放送信号の特性を受信限界値とし、当該受信限界値を前記検査結果記録部に記録する、
請求項３に記載の検査装置。
【請求項５】
前記テスト放送信号の受信に関する設定とは、チャネルおよび当該チャネルに対応した周波数の設定であり、
前記検査結果記録部には予め複数のチャネルと周波数の組み合わせが記憶されており、
前記受信設定制御部は、前記検査結果記録部に記憶されている前記チャネルと周波数の組み合わせに基づいて前記画像表示装置の受信に関する設定を切り替えさせ、
前記信号源制御部は、前記検査結果記録部に記憶されている前記チャネルと周波数の組み合わせに基づいて前記テスト放送信号源を制御して前記テスト放送信号の特性を変化させ、
すべての前記複数のチャネルと周波数の組み合わせに対して、前記受信限界値を自動的に得る、
請求項４に記載の検査装置。
【請求項６】
前記良否判定を行った前記テスト放送信号の特性と当該良否判定の結果とを記録する検査経過状態記録部をさらに備え、
前記エラー判定部が前記テスト放送信号に対して前記良否判定を行う前に、前記検査経過状態記録部を参照して、当該テスト放送信号の特性と同一の特性を有するテスト放送信号に対する前記良否判定の結果が記録されている場合は、実際に前記良否判定を行わず、記録されている結果を前記良否判定の結果とする、
請求項３に記載の検査装置。
【請求項７】
前記テスト放送信号の特性とは、当該テスト放送信号の出力レベルを含み、
前記テストが厳しくなる方向とは、前記テスト放送信号の出力レベルを下げる方向であり、
前記テストが緩くなる方向とは、前記テスト放送信号の出力レベルを上げる方向である、
請求項３から請求項６のいずれか一項に記載の検査装置。
【請求項８】
前記テスト放送信号の特性とは、当該テスト放送信号のＣ／Ｎ比を含み、
前記テストが厳しくなる方向とは、前記テスト放送信号のＣ／Ｎ比を下げる方向であり、
前記テストが緩くなる方向とは、前記テスト放送信号のＣ／Ｎ比を上げる方向である、
請求項３から請求項６のいずれか一項に記載の検査装置。
【請求項９】
請求項１から請求項８のいずれか一項に記載の検査装置と、
前記画像表示装置と、
を備える、
検査システム。
【発明の詳細な説明】
【技術分野】
【０００１】
本発明は検査装置および検査システムに関し、特に放送信号を受信して放送番組を表示する画像表示装置の放送信号の受信性能検査を行う検査装置および検査システムに関する。
【背景技術】
【０００２】
ＲＦ（Ｒａｄｉｏ  Ｆｒｅｑｕｅｎｃｙ：放送波）信号などの映像・音声信号を受信可能なデジタルテレビジョン受像機等の開発工程において、受信検査に関する試験が必要とされる。試験としては、例えば弱電界性能試験や強電界性能試験、Ｃ／Ｎ（Ｃａｒｒｉｅｒ  ｔｏ  Ｎｏｉｓｅ：搬送波対ノイズ）性能試験、マルチパス試験、妨害波試験など様々な受信検査を実施する。そして、受信検査で得られた結果を元に開発工程におけるデジタルテレビジョン受像機の品質確認を行う。
【０００３】
品質確認の基準として、例えば日本の放送波規格であるＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓ  ｏｆ  Ｊａｐａｎ、一般社団法人電波産業会）規格などの受信のための規格、各製造者における基準、設計者が設定した基準などがある。受信検査で得られた試験結果がこれらの規格や基準を満足していることを確認することで、開発工程のデジタルテレビジョン受像機の品質が確認できる。開発工程において、品質確認の工程は非常に重要である。
【０００４】
従来の画像表示装置の検査システムでは、画像表示装置の画像の表示テストと、その画像信号から撮像したテスト画像の良否判定を自動化している（例えば、特許文献１参照）。
【先行技術文献】
【特許文献】
【０００５】
【特許文献１】特開２００７−１８４７２３号公報
【発明の概要】
【発明が解決しようとする課題】
【０００６】
従来のデジタルテレビジョン受像機のデジタル放送の受信性能検査工程では、評価担当者が手動で測定器や信号源の設定や、キー入力などの操作を行っていた。また、評価結果を記録するための記録作業なども手動で行っていた。このように、様々な人的操作が発生するため、膨大な評価期間が必要であった。さらに、デジタルテレビジョン受像機の受信性能検査は項目数も多く、受信性能検査には、試験設備と試験時間および検査員に係るコストが高額であった。また、検査の良否判定は評価担当者の目視によってなされるため、検査結果のばらつきが生じやすいといった問題があった。
【０００７】
本発明は、以上のような課題を解決するためになされたものであり、画像表示装置の受信性能の検査を省人化するとともに検査コストを下げることを目的とする。
【課題を解決するための手段】
【０００８】
本発明に係る検査装置は、放送信号を受信して放送番組を表示する画像表示装置の受信性能検査を行う検査装置であって、画像表示装置は、テスト放送信号を受信するチューナ部と、テスト放送信号を、画像表示部と音声出力部のそれぞれに出力可能なテスト映像データとテスト音声データに復号する復調部と、テスト映像データおよびテスト音声データからエラーに関するエラー情報を取得し、エラー情報を送信するエラー情報取得送信部と、を備え、検査装置は、テスト放送信号を出力するテスト放送信号源と、エラー情報取得送信部から送信されたエラー情報を受信し、エラー情報が予め定められた基準を満たすかどうかに基づいて、画像表示装置のテスト放送信号に対する受信性能の良否判定を行うエラー判定部と、画像表示装置を制御して画像表示装置のテスト放送信号の受信に関する設定を変更させる受信設定制御部と、良否判定の結果に基づいて、テスト放送信号源を制御してテスト放送信号の特性を変化させる信号源制御部と、を備える。
【発明の効果】
【０００９】
本発明に係る検査装置によれば、デジタルテレビジョン受像機の受信性能検査における人的負担を大きく減らし、検査の省人化および低コスト化を図ることが可能である。また、従来の目視検査と異なり、画一的な検査が実現できるため、人為的誤差による検査結果のばらつきを抑えることが可能となる。
【図面の簡単な説明】
【００１０】
【図１】本発明の実施形態に係る検査システムの接続関係を示す図である。
【図２】本発明の実施形態に係る検査システムの機能ブロック図である。
【図３】本発明の実施形態に係る検査システムの動作を示すフローチャートである。
【図４】本発明の実施形態に係る検査システムの動作において使用する表を示す図である。
【発明を実施するための形態】
【００１１】
以下に本発明の実施の形態を、図面を参照しながら説明する。なお、ここで示す実施の形態は一例であり、本発明はここに示す実施の形態に限定されるものではない。
【００１２】
＜構成＞
図１は、本発明の実施形態における検査システムの接続関係を示す図である。本実施形態における検査システムは、検査装置と、画像表示装置（即ち、デジタルテレビジョン受像機１）とを備える。検査装置は、テスト放送信号源２と、ＰＣ３（Ｐｅｒｓｏｎａｌ  Ｃｏｍｐｕｔｅｒ：パソコン）とを備える。
【００１３】
デジタルテレビジョン受像機１（以下、ＴＶ１とも記載）は、デジタル放送信号を受信して、受信した信号を復調し、映像と音声を出力する。テスト放送信号源２は、テスト放送信号を発生させて、デジタルテレビジョン受像機１にテスト放送信号を送信する。ＰＣ３は、デジタルテレビジョン受像機１、テスト放送信号源２のそれぞれと通信可能である。ＰＣ３は、検査経過の状態、および検査結果データを記録する。
【００１４】
テスト放送信号源２とデジタルテレビジョン受像機１とは、テスト放送信号を伝送するためのアンテナケーブル４により接続されている。
【００１５】
図２は、本発明の実施形態における検査システムの機能ブロック図である。図２に示すようにデジタルテレビジョン受像機１は、チューナ部１１と、復調部１２と、エラー情報取得送信部１３と、チャンネル切替部１４と、画像表示部１５と、音声出力部１６とを備える。
【００１６】
チューナ部１１は、アンテナケーブル４を介してデジタル放送信号を受信する。復調部１２は、受信した信号を、映像表示と音声出力が可能なテスト映像データとテスト音声データに復号する。エラー情報取得送信部１３は、復号されたテスト映像データおよびテスト音声データからエラー情報を取得してＰＣ３に送信する。チャンネル切替部１４は、ＰＣ３から送られる指示に基づいてデジタルテレビジョン受像機１の受信チャンネルを切り替える。画像表示部１５は例えば液晶ディスプレイであり、テスト映像データを表示する。音声出力部１６はスピーカでありテスト音声データを出力する。
【００１７】
図２に示すようにテスト放送信号源２は、信号出力部２１と、周波数調整部２２と、出力レベル調整部２３と、Ｃ／Ｎ比調整部２４とを備える。
【００１８】
信号出力部２１は、テスト放送信号をアンテナケーブル４を介してチューナ部１１に送信する。周波数調整部２２は、テスト放送信号の周波数を調整する。出力レベル調整部２３は、テスト放送信号の出力レベルを調整する。Ｃ／Ｎ比調整部２４は、テスト放送信号のＣＮ比を調整する。
【００１９】
図２に示すようにＰＣ３は、エラー判定部３１と、受信設定制御部３２と、信号源制御部３３と、制御部３４と、時計部３５と、検査結果記録部３６と、表示部３７と、検査経過状態記録部３８とを備える。
【００２０】
エラー判定部３１は、エラー情報取得送信部１３からエラー情報を受信し、エラー情報に基づいて良否判定を行う。良否判定については後述する。受信設定制御部３２は、デジタルテレビジョン受像機１を制御する。信号源制御部３３は、テスト放送信号源２を制御する。制御部３４は、エラー判定部３１の出力に応じて、信号源制御部３３と受信設定制御部３２の制御を行う。時計部３５は、時間を計時し制御部３４に計測時間を供給する。表示部３７は、テスト放送信号やデジタルテレビジョン受像機１やエラー情報などの情報を表示する。
【００２１】
検査結果記録部３６は、一連の良否判定の結果得られる受信限界値を記録する。検査経過状態記録部３８は、良否判定の結果およびそれに対応したテスト放送信号の条件を記録する。また、検査結果記録部３６および検査経過状態記録部３８には、テスト放送信号の情報、デジタルテレビジョン受像機１の情報、エラー情報なども記録してもよい。
【００２２】
デジタルテレビジョン受像機１において、チューナ部１１、復調部１２、チャンネル切替部１４およびエラー情報取得送信部１３は、電気回路で実現する信号処理回路により実現される。また、チューナ部１１および復調部１２の機能の一部または全部は、図示しないプロセッサーが図示しないメモリに記憶されているソフトウェアプログラムに従って動作することにより実現されてもよい。
【００２３】
なお、ソフトウェアのチューナ部１１、復調部１２、チャンネル切替部１４およびエラー情報取得送信部１３と、ハードウェアのチューナ部１１、復調部１２、チャンネル切替部１４およびエラー情報取得送信部１３とを合わせた概念として、「部」という語に代えて「処理回路」という語を用いることもできる。
【００２４】
ＰＣ３において、制御部３４はＣＰＵである。エラー判定部３１は、ＣＰＵが図示しないメモリに記憶されているソフトウェアプログラムに従って動作することにより実現される。受信設定制御部３２と信号源制御部３３は、デジタルテレビジョン受像機１およびテスト放送信号源２のそれぞれと有線又は無線で接続するインターフェースと、図示しないメモリに記憶されているソフトウェアプログラムに従ってＣＰＵが動作することにより実現される。検査結果記録部３６および検査経過状態記録部３８は、例えばハードディスクドライブ等の記憶媒体と、図示しないメモリに記憶されているソフトウェアプログラムに従ってＣＰＵが動作することより実現される。表示部３７は例えば液晶ディスプレイである。時計部３５はＣＰＵの機能として実現される。なお、ソフトウェアのエラー判定部３１、受信設定制御部３２、信号源制御部３３、検査結果記録部３６、検査経過状態記録部３８と、ハードウェアのエラー判定部３１、受信設定制御部３２、信号源制御部３３、検査結果記録部３６、検査経過状態記録部３８とを合わせた概念として、「部」という語に代えて「処理回路」という語を用いることもできる。
【００２５】
テスト放送信号源２において、信号出力部２１はアンテナケーブル４と接続可能なインターフェースである。周波数調整部２２、出力レベル調整部２３、Ｃ／Ｎ比調整部２４は電気回路により実現される。なお、周波数調整部２２、出力レベル調整部２３、Ｃ／Ｎ比調整部２４の機能の一部または全部は、図示しないプロセッサーが図示しないメモリに記憶されているソフトウェアプログラムに従って動作することにより実現されてもよい。なお、ソフトウェアの信号出力部２１、周波数調整部２２、出力レベル調整部２３、Ｃ／Ｎ比調整部２４と、ハードウェアのソフトウェアの信号出力部２１、周波数調整部２２、出力レベル調整部２３、Ｃ／Ｎ比調整部２４とを合わせた概念として、「部」という語に代えて「処理回路」という語を用いることもできる。
【００２６】
＜動作＞
図３は、本実施形態における検査システムの動作を示すフローチャートである。本実施形態における検査システムでは、テスト放送信号の複数の特性に関してデジタルテレビジョン受像機１の受信性能の検査を行うことができる。テスト放送信号の特性は、例えば、出力レベル、ＣＮ比、周波数などである。以下では、出力レベルを変化させることにより弱電界性能を検査する際の検査システムの動作について、図３のフローチャートに従って説明する。
【００２７】
図１に示す通り、デジタルテレビジョン受像機１はアンテナケーブル４を介してテスト放送信号源２と接続されている。また、デジタルテレビジョン受像機１とテスト放送信号源２はＰＣ３と有線無線に係らず通信することが可能である。
【００２８】
図４に示すように、評価者が予め測定をしたい物理チャンネルに対応した周波数をＰＣ３に備わる検査結果記録部３６に記録させる。制御部３４は、検査結果記録部３６から測定する周波数を読み出し、例えばＶＨＦ１（９３．１４３ＭＨｚ）を選択する指示を受信設定制御部３２と信号源制御部３３に送信する。受信設定制御部３２は、指定された周波数を受信する指示を、デジタルテレビジョン受像機１に備わるチャンネル切替部１４に送信する。チャンネル切替部１４は受信設定制御部３２の指示に従って受信チャンネルを切り替える。また、信号源制御部３３は、指定された周波数の信号を生成することをテスト放送信号源２に指示する。周波数調整部２２は信号源制御部３３の指示に従い、テスト放送信号の出力周波数を変更する（ステップＳ３０１）。
【００２９】
テスト放送信号源２の信号出力部２１は、周波数調整部２２によって設定された周波数を有するテスト放送信号を出力する。信号出力部２１から出力されたテスト放送信号はアンテナケーブル４を介してデジタルテレビジョン受像機１のチューナ部１１に送信される（ステップＳ３０２）。
【００３０】
デジタルテレビジョン受像機１の復調部１２は、チューナ部１１が受信したテスト放送信号を復号して、テスト映像データとテスト音声データを得る。テスト映像データとテスト音声データはそれぞれ画像表示部１５、音声出力部１６において出力される。
【００３１】
復号したテスト映像データとテスト音声データはエラー情報取得送信部１３にも送信される。エラー情報取得送信部１３は復号されたテスト映像データおよびテスト音声データのエラー数を観測して、エラー数を含むエラー情報をＰＣ３のエラー判定部３１に送信する。
【００３２】
エラー判定部３１は、エラー情報取得送信部１３から送信されるエラー情報が予め定められた条件を満たしているか否かの良否判定を行う（ステップＳ３０３）。
【００３３】
良否判定について具体的に説明する。良否判定には、例えばＡＲＩＢ規格にて制定されているＢＥＲ（Ｂｉｔ  Ｅｒｒｏｒ  Ｒａｔｅ：符号誤り率）を使用することができる。ＢＥＲは、１秒間に伝送されたビット数と、そのうち誤ったビット数との比で定義される。デジタル放送信号の復号後に行われる誤り訂正符号の一つであるビタビ復号後のＢＥＲの値（例えば２．０×１０−４）を閾値とする。エラー判定部３１は、予め設定された時間（例えば１分間）だけエラー情報を取得して、その時間内に観測されたエラー数に基づいてＢＥＲを算出する。ここで、時間の計測は時計部３５が行う。そして、エラー判定部３１は、算出したＢＥＲの値が予め定めた閾値を下回っていれば「良」と判定する。一方、算出したＢＥＲの値が予め定めた閾値を一度でも上回ってしまったら「否」と判定する。
【００３４】
なお、良否判定の方法について符号誤り率を用いる方法を説明したが、良否判定の方法はこれに限定されない。例えば、予め設定された時間内において観測されたエラーの個数と、予め定められたエラー数とを比較して良否判定を行ってもよい。
【００３５】
ステップＳ３０３において良否判定の結果が「良」の場合、ＰＣ３の制御部３４は、良否判定の結果およびその時のテスト放送信号の条件（周波数、出力レベル、Ｃ／Ｎ比など）を検査経過状態記録部３８に記録する。そして、ＰＣ３の制御部３４は、テストを厳しくする方向に出力レベルを変化させる指示を信号源制御部３３に送信する。ここで、テストを厳しくする方向とは出力レベルを下げる方向である。また、１段階とは例えば０．１[ｄＢｍ］である。信号源制御部３３は、テスト放送信号源２の出力レベル調整部２３に、出力レベルを１段階下げるように指示する（ステップＳ３０４）。信号出力部２１は、出力レベル調整部２３によって出力レベルを１段階下げられたテスト放送信号を、アンテナケーブル４を介してチューナ部１１に送信する（ステップＳ３０２）。
【００３６】
ＰＣ３のチューナ部１１がテスト放送信号を受信すると、復調部１２で復号を行い、復号されたテスト映像データおよびテスト音声データのエラー数をエラー情報取得送信部１３で観測する。以下、良否判定の結果が「否」となるまで、ステップＳ３０３，Ｓ３０４，Ｓ３０２の動作を繰り返す。
【００３７】
ステップＳ３０３において良否判定の結果が「良」でない場合（即ち良否判定結果が「否」の場合）、ＰＣ３の制御部３４は、良否判定の結果およびその時のテスト放送信号の条件（周波数、出力レベル、Ｃ／Ｎ比など）を検査経過状態記録部３８に記録する。そして、ＰＣ３の制御部３４は、テストを緩くする方向に出力レベルを１段階変化させる指示を信号源制御部３３に送信する。ここで、テストを緩くする方向とは、出力レベルを増大させる方向である。信号源制御部３３は、テスト放送信号源２の出力レベル調整部２３に、テスト放送信号の出力レベルを１段階上げることを指示する（ステップＳ３０５）。信号出力部２１は、出力レベル調整部２３によって出力レベルを１段階上げられたテスト放送信号を、アンテナケーブル４を介してチューナ部１１に送信する（ステップＳ３０６）。
【００３８】
次に、デジタルテレビジョン受像機１のエラー情報取得送信部１３と、ＰＣ３のエラー判定部３１はステップＳ３０３と同様の動作を行い、テスト放送信号の良否判定を行う（ステップ３０７）。
【００３９】
ステップＳ３０７において良否判定の結果が「良」でない場合（即ち良否判定結果が「否」の場合）、ＰＣ３の制御部３４は、現在の出力レベルから１段階出力レベルを上げたテスト放送信号に関して既に検査済みであるかどうか判定を行う。判定は、検査経過状態記録部３８を参照することにより行われる（ステップＳ３０９）。
【００４０】
ステップＳ３０９において現在の出力レベルから１段階上げた出力レベルが検査済みであると判定された場合、検査経過状態記録部３８に記録されている、現在の出力レベルから１段階上げた出力レベルがデジタルテレビジョン受像機１の受信限界値であると判断する。その結果はエラー判定部３１に送信され、検査結果記録部３６で図４のように記録される（ステップＳ３１０）。
【００４１】
ここで、ステップＳ３０７において「ＮＯ」と判定された後、ステップＳ３０９において「ＹＥＳ」と判定される場合の具体例を説明する。例えば、ステップＳ３０２，Ｓ３０３，Ｓ３０４で構成されるループにおいて、出力レベルを下げ続け、ある出力レベルで初めて良否判定が「良」から「否」に変化したとする。この場合、次のステップＳ３０５においては、出力レベルを１段階上げるので、ステップＳ３０７においては良否判定の結果は「良」となるはずである。しかしながら、受信限界値付近においては、同一の出力レベルで良否判定を行っても、個々の判定ごとに判定結果が異なる場合がある。つまり、ステップＳ３０７において「否」（「ＮＯ」）と判定される場合が起こりうる。このように、良否判定の結果にゆらぎがある場合は、受信限界値の信頼性を高めるために、現在の出力レベルよりも１段階上げた出力レベルを受信限界値とするのが妥当である。そこで、現在の出力レベルよりも１段階上の出力レベルにおいて既に検査済みの場合（ステップＳ３０９で「ＹＥＳ」場合）は、現在の出力レベルよりも１段階上の出力レベルを受信限界値として記録する（ステップＳ３１０）。
【００４２】
ステップＳ３０９において現在の出力レベルから１段階上げた出力レベルが検査済みでないと判定された場合、ステップＳ３０５に戻る。そして、良否判定の結果が「良」になるまでステップＳ３０５〜Ｓ３０７，Ｓ３０９の一連の動作を繰り返す。
【００４３】
ステップＳ３０７において良否判定の結果が「良」の場合、ＰＣ３の制御部３４は、図４に示すように、現在の出力レベルを受信限界値として検査経過状態記録部３８に記録する（ステップＳ３０８）。このとき、現在検査を行っているテスト放送信号に対応したチャンネルと周波数も同時に記録される。以上で、特定のチャンネルと周波数における弱電界性能の検査が終了する。
【００４４】
次に、制御部３４は未検査のチャンネルが有るか判定を行う（ステップＳ３１１）。判定は、制御部３４が検査結果記録部３６から未検査のチャンネルの有無を読み取ることで行われる。
【００４５】
ステップＳ３１１において未検査のチャンネルが有ると判定された場合、制御部３４は、未検査のチャンネルおよび対応する周波数を選択する指示を受信設定制御部３２と信号源制御部３３に送信する。そして、未検査のチャンネルが無くなるまで、以上で説明したステップＳ３０１〜Ｓ３１１の一連の動作を繰り返す。
【００４６】
一方、ステップＳ３１１の結果、未検査のチャンネルがないと判定された場合は受信性能検査を終了する。
【００４７】
評価者が予め設定していた全てのチャンネルについて受信性能検査が終了し、検査結果記録部３６に測定結果（受信限界値）が書き込まれると、評価者は、ＰＣ３の表示部３７にて検査結果を見ることができる。
【００４８】
本実施形態における検査システムにおいては、検査を開始してから、全てのチャンネルに関する検査が終了するまでの動作が自動で行われるため、評価者が手動で操作をする必要がない。よって、人的負担を大きく減らすことができる。また、本実施形態では、デジタルテレビジョン受像機１の画像表示部１５に表示される画像を評価者が目視で評価するのではなく、ＰＣ３のエラー判定部３１が、復号された映像信号および音声信号に含まれるエラー数に基づいて評価を行う。よって、より客観的でより精度の高い評価が可能となる。
【００４９】
以上では、受信性能検査として弱電界性能の検査について記載したが、Ｃ／Ｎ性能の検査についても記載する。弱電界性能の検査では、出力レベル調整部２３で出力レベルを変化させた。Ｃ／Ｎ性能の検査では、Ｃ／Ｎ比調整部２４がテスト放送信号のＣ／Ｎ比を変化させながら検査を行う。Ｃ／Ｎ性能の検査において、テストが厳しくなる方向とは、Ｃ／Ｎ比を下げる方向である。また、テストが緩くなる方向とは、Ｃ／Ｎ比を上げる方向である。それ以外は上記と同様の動作を行う。
【００５０】
以上、本発明の実施形態について説明したが、本発明の適用は本実施形態には限られず、その技術的思想の範囲内において様々に適用されうるものである。例えば、本実施形態では、アンテナケーブル４を介してチューナ部１１で信号を受信したが、ＵＳＢケーブルやＨＤＭＩ（登録商標）ケーブルで画像や音声の信号を送信するシステムの場合でもよい。
【００５１】
＜効果＞
本実施形態における検査装置は、放送信号を受信して放送番組を表示する画像表示装置（即ちデジタルテレビジョン受像機１）の放送信号の受信性能検査を行う検査装置であって、画像表示装置は、テスト放送信号を受信するチューナ部１１と、テスト放送信号を、画像表示部１５と音声出力部１６のそれぞれに出力可能なテスト映像データとテスト音声データに復号する復調部１２と、テスト映像データおよびテスト音声データからエラーに関するエラー情報を取得し、当該エラー情報を送信するエラー情報取得送信部１３と、を備え、検査装置は、テスト放送信号を出力するテスト放送信号源２と、エラー情報取得送信部１３から送信されたエラー情報を受信し、当該エラー情報が予め定められた基準を満たすかどうかに基づいてテスト放送信号の受信に対して良否判定を行うエラー判定部３１と、画像表示装置を制御して画像表示装置のテスト放送信号の受信に関する設定を変更させる受信設定制御部３２と、良否判定の結果に基づいて、テスト放送信号源２を制御してテスト放送信号の特性を変化させる信号源制御部３３と、を備える。
【００５２】
本実施形態の検査装置によれば、デジタルテレビジョン受像機１の受信性能検査における人的負担を大きく減らし、検査の省人化および低コスト化を図ることが可能である。また、従来の目視検査と異なり、画一的な検査が実現できるため、人為的誤差による検査結果のばらつきを抑えることが可能となる。
【００５３】
また、本実施形態における検査装置において、エラー情報は、テスト映像データおよびテスト音声データにおいて観測されたエラーの個数の情報を含む。
【００５４】
従って、デジタルテレビジョン受像機１の受信性能を、エラーの個数に基づいて検査することが可能となる。エラーの個数という客観的な値に基づいて受信性能を検査するため、例えば、テスト映像データの画像を目視で検査する場合と比較して、検査結果のばらつきを抑えることが可能である。
【００５５】
また、本実施形態における検査装置において、信号源制御部３３は、良否判定の結果が良の場合、良否判定に対応するテスト放送信号の特性をテストが厳しくなる方向に１段階変化させ、信号源制御部３３は、良否判定の結果が否の場合、良否判定に対応するテスト放送信号の特性をテストが緩くなる方向に１段階変化させる。
【００５６】
従って、良否判定の結果に基づいてテスト放送信号の特性を段階的に変化させることにより、適切に受信することが可能なテスト放送信号の特性の限界値を得ることが可能となる。
【００５７】
また、本実施形態における検査装置は、検査結果記録部３６をさらに備え、検査結果記録部３６は、テスト放送信号の特性の段階的な変化に伴って、エラー判定部３１の良否判定の結果が良から否、もしくは否から良に変化した場合、良否判定の結果が変化する境界において良と判定されたテスト放送信号の特性を受信限界値とし、受信限界値を検査結果記録部３６に記録する。
【００５８】
従って、テスト放送信号の特性を段階的に変化させ、良否判定の結果が変化する境界を見つけることにより、テスト放送信号の特性の受信限界値を決定することが可能である。
【００５９】
また、本実施形態における検査装置において、テスト放送信号の受信に関する設定とは、チャネルおよび当該チャネルに対応した周波数の設定であり、検査結果記録部３６には予め複数のチャネルと周波数の組み合わせが記録されており、受信設定制御部３２は、検査結果記録部３６に記憶されているチャネルと周波数の組み合わせに基づいて画像表示装置の受信に関する設定を切り替えさせ、信号源制御部３３は、検査結果記録部３６に記録されているチャネルと周波数の組み合わせに基づいてテスト放送信号源２を制御してテスト放送信号の特性を変化させ、複数のチャネルと周波数の組み合わせのすべてに対して、受信限界値を自動的に得る。
【００６０】
従って、本実施形態の検査装置によれば、検査対象となるチャンネルと周波数の組み合わせを予め検査結果記録部３６に記録しておくことで、全ての組み合わせに対して自動的に受信限界値を得るため、受信性能検査における人的負担をさらに減らし、検査のさらなる省人化および低コスト化を図ることが可能である。
【００６１】
また、本実施形態における検査装置は、良否判定を行ったテスト放送信号の特性と当該良否判定の結果とを記録する検査経過状態記録部３８をさらに備え、エラー判定部３１がテスト放送信号に対して良否判定を行う前に、検査経過状態記録部３８を参照して、当該テスト放送信号の特性と同一の特性を有するテスト放送信号に対する良否判定の結果が記録されている場合は、実際に良否判定を行わず、記録されている結果を良否判定の結果とする。
【００６２】
従って、過去に良否判定を行ったテスト放送信号に対して再び良否判定を行うことを避けることが可能である。よって、過去に良否判定を行っていないテスト放送信号に対してだけ良否判定を行うため、検査に要する時間を短縮することが可能である。
【００６３】
また、本実施形態における検査装置において、テスト放送信号の特性とは、テスト放送信号の出力レベルを含み、テストが厳しくなる方向とは、テスト放送信号の出力レベルを下げる方向であり、テストが緩くなる方向とは、テスト放送信号の出力レベルを上げる方向である。従って、デジタルテレビジョン受像機１の弱電界性能の検査を実施することが可能である。
【００６４】
また、本実施形態における検査装置において、テスト放送信号の特性とは、テスト放送信号のＣ／Ｎ比を含み、テストが厳しくなる方向とは、テスト放送信号のＣ／Ｎ比を下げる方向であり、テストが緩くなる方向とは、テスト放送信号のＣ／Ｎ比を上げる方向である。従って、デジタルテレビジョン受像機１のノイズ耐性の検査を実施することが可能である。
【００６５】
本実施形態における検査システムは、検査装置と、画像表示装置（即ちデジタルテレビジョン受像機１）と、を備える。従って、本実施形態の検査システムによれば、デジタルテレビジョン受像機１の受信性能検査における人的負担を大きく減らし、検査の省人化および低コスト化を図ることが可能である。また、従来の目視検査と異なり、画一的な検査が実現できるため、人為的誤差による検査結果のばらつきを抑えることが可能となる。
【００６６】
なお、本発明は、その発明の範囲内において、実施の形態を適宜、変形、省略することが可能である。
【符号の説明】
【００６７】
１  デジタルテレビジョン受像機、２  テスト放送信号源、３  パソコン、４  アンテナケーブル、１１  チューナ部、１２  復調部、１３  エラー情報取得送信部、１４  チャンネル切替部、１５  画像表示部、１６  音声出力部、２１  信号出力部、２２  周波数調整部、２３  出力レベル調整部、２４  Ｃ／Ｎ比調整部、３１  エラー判定部、３２  受信設定制御部、３３  信号源制御部、３４  制御部、３５  時計部、３６  検査結果記録部、３７  表示部、３８  検査経過状態記録部。
【図１】
2016163241.tif 000003
【図２】
2016163241.tif 000004
【図３】
2016163241.tif 000005
【図４】
2016163241.tif 000006